(57)【特許請求の範囲】
【請求項１】
被検眼を検査する眼科装置であって、
被検者の顔を支持する顔支持手段と、
前記顔支持手段に顔が支持されているか否かを検知する人検知手段と、
被検者または検者にアナウンスを行う報知手段と、
前記人検知手段の検知結果に基づいて、前記報知手段を制御する制御手段と、を備え、
前記顔支持手段は、被検者の顎を支持する顎台を有し、
前記制御手段は、前記顎台から顎を離す旨のアナウンスを行うことを特徴とする眼科装置。
【請求項２】
前記顔支持手段は、前記顎台を駆動させる顎台駆動手段をさらに備え、
前記制御手段は、前記検知結果から被検者の顔が前記顔支持手段に支持されていると判定された場合、前記顎台駆動手段によって前記顎台を駆動させる前に、前記顎台から顎を離す旨のアナウンスを行うことを特徴とする請求項１の眼科装置。
【請求項３】
前記制御手段は、前記顎台を適正位置に駆動させるための駆動量に応じて、アナウンスの内容を変更することを特徴とする請求項２の眼科装置。
【請求項４】
前記制御手段は、前記駆動量が大きい場合は前記顎台から顎を離す旨のアナウンスを行い、前記駆動量が小さい場合は前記顎台を動かす旨のアナウンスを行うことを特徴とする請求項３の眼科装置。
【請求項５】
前記制御手段は、前記報知手段によって、瞬きを促すためのアナウンスを行うことを特徴とする請求項１の眼科装置。
【請求項６】
前記制御手段は、前記報知手段によって、眼を大きく開ける旨のアナウンスを行うことを特徴とする請求項１の眼科装置。
【請求項７】
被検眼を検査する眼科装置において実行される眼科装置制御プログラムであって、前記眼科装置のプロセッサによって実行されることで、
顎台に被検者の顎が支持されているか否かを検知する人検知ステップと、
前記人検知ステップにおいて検知された検知結果に基づいて、被検者または検者に前記顎台から顎を離す旨のアナウンスを行う報知ステップと、
を前記眼科装置に実行させることを特徴とする眼科装置制御プログラム。
【発明の詳細な説明】
【技術分野】
【０００１】
本開示は、被検眼を検査するための眼科装置、および眼科装置制御プログラムに関する。
【背景技術】
【０００２】
従来の眼科装置としては、例えば、眼屈折力測定装置、角膜曲率測定装置、眼圧測定装置、眼底カメラ、ＯＣＴ、ＳＬＯ等が知られている。これらの眼科装置では、ジョイスティック等の操作部材の操作によって被検眼に対して検眼部を上下左右前後方向に移動させ、被検眼に対して検眼部を所定の位置にアライメントすることが一般的である。また、検眼部の駆動範囲外に被検眼が位置する場合、検者は、被検者の顎を支持する顎台等の高さを操作することによって、被検眼を検眼部の駆動範囲内に収める操作を行う（特許文献１参照）。
【０００３】
また、従来の眼科装置において、被検者の顔を撮影した画像に基づいて被検眼に対する検眼部の位置合わせを行う装置が提案されている。このような装置において、被検者のアイレベル（眼の高さ）が適正か否か確認するために被検者の顔の画像を表示部に表示する装置が提案されている（特許文献２参照）。
【先行技術文献】
【特許文献】
【０００４】
【特許文献１】特開２００８−０５４９２９
【特許文献２】特開２００８−１３６６１７
【発明の開示】
【発明が解決しようとする課題】
【０００５】
しかしながら、従来の装置において、顎台の高さを調整する場合、被検者が顎台の駆動に驚くことがあった。
【０００６】
本開示は、従来の問題点に鑑み、被検者の不安を解消できる眼科装置、及び眼科装置制御プログラムを提供することを技術課題とする。
【課題を解決するための手段】
【０００７】
上記課題を解決するために、本開示は以下のような構成を備えることを特徴とする。
【０００８】
（１）  被検眼を検査する眼科装置であって、被検者の顔を支持する顔支持手段と、前記顔支持手段に顔が支持されているか否かを検知する人検知手段と、被検者または検者にアナウンスを行う報知手段と、前記人検知手段の検知結果に基づいて、前記報知手段を制御する制御手段と、を備え、前記顔支持手段は、被検者の顎を支持する顎台を有し、前記制御手段は、前記顎台から顎を離す旨のアナウンスを行うことを特徴とする。
（２）  被検眼を検査する眼科装置において実行される眼科装置制御プログラムであって、前記眼科装置のプロセッサによって実行されることで、顎台に被検者の顎が支持されているか否かを検知する人検知ステップと、前記人検知ステップにおいて検知された検知結果に基づいて、被検者または検者に前記顎台から顎を離す旨のアナウンスを行う報知ステップと、を前記眼科装置に実行させることを特徴とする。
【図面の簡単な説明】
【０００９】
【図１】本実施例の外観を示す概略図である。
【図２】本実施例の制御系を示すブロック図である。
【図３】本実施例の光学系を示す概略図である。
【図４】本実施例の測定時の制御動作を示す図である。
【図５】本実施例の顎台調整時の制御動作を示す図である。
【図６】顔画像の一例を示す図である。
【図７】被検眼の３次元座標について説明する図である。
【図８】被検者の顔が傾いた時の顔画像の例を示す図である。
【図９】顎台ボタンの例を示す図である。
【図１０】音声アナウンスについて説明するための図である。
【図１１】顎台の構成について説明するための図である。
【図１２】顎台の動作について説明するための図である。
【発明を実施するための形態】
【００１０】
＜第１実施形態＞
以下、本開示に係る眼科装置の実施形態について説明する。第１実施形態の眼科装置は、例えば、被検眼を検査する。眼科装置は、例えば、眼屈折力測定装置、角膜曲率測定装置、角膜形状測定装置、眼圧測定装置、眼軸長測定装置、眼底カメラ、ＯＣＴ、ＳＬＯ、超音波検眼装置等であってもよい。
【００１１】
眼科装置は、例えば、検眼部と、顔撮影部と、調整部と、制御部を備える。検眼部は、例えば、検査光学系、超音波測定系等を備えてもよい。顔撮影部は、例えば、被検者の顔を撮影する。顔撮影部は、例えば、少なくとも一方の被検眼を含む顔画像を取得する。
調整部は、被検眼と検眼部との相対位置を少なくとも１方向において調整する。もちろん、３次元的に調整してもよい。例えば、調整部は、被検眼に対して検眼部を左右（Ｘ）方向、上下（Ｙ）方向、前後（Ｚ）方向に移動させる。調整部は、例えば、駆動部を備える。もちろん、調整部は、検眼部に対して被検眼を移動させてもよい。この場合、調整部は、顔支持部（例えば、額当て、顎台など）を移動させてもよい。例えば、顔支持部が顎台を備える場合、駆動部は顎台を上下方向に駆動させてもよい。
【００１２】
制御部は、例えば、眼科装置の制御を司る。制御部は、例えば、調整部の駆動部の駆動を制御する。また、制御部は、画像処理等の演算を制御する演算制御部として機能してもよい。
【００１３】
制御部は、被検眼の３次元座標を推定する。例えば、制御部は、被検眼の３次元座標のうちの少なくとも１つの座標成分を仮定する。例えば、制御部は、予め設定された値を記憶部等から読み出し、座標成分の値とする。３次元座標のうちの少なくとも１つの座標成分とは、例えば、３次元座標の３要素のうちの少なくとも１つである。例えば、ｘ座標、ｙ座標、ｚ座標のうちのいずれかであってもよい。例えば、制御部は、３次元座標のうちの少なくとも１つの座標成分を標準的な位置であると仮定する。
【００１４】
そして、制御部は、顔画像から被検眼の画像上の２次元座標を取得する。例えば、制御部は、顔画像から被検眼を検出し、その画素位置から被検眼の２次元座標を求めてもよい。
【００１５】
制御部は、仮定した１つの座標成分と、顔画像から検出した被検眼の画像上の２次元座標と、に基づいて被検眼の仮の３次元座標を算出する。そして、制御部は、被検眼の仮の３次元座標に基づいて、駆動部を制御する。
【００１６】
本実施形態の眼科装置は、上記のように、３次元座標のうちの少なくとも１つの座標成分を仮定し、残りの座標成分を、被検眼の顔画像から得られた２次元座標と、仮定した座標成分に基づいて算出することによって、被検眼の３次元座標を推定する。これによって、本実施形態の眼科装置は、被検眼と検眼部が離れている場合であっても、推定した３次元座標に基づいてスムーズにアライメントすることができる。
【００１７】
なお、制御部７０は、３次元座標のうちの複数の座標成分を標準的な位置と仮定することで被検眼の３次元座標を推定してもよい。例えば、制御部７０は、３次元座標のうち、ｘ座標とｚ座標を標準的な位置であると仮定し、仮定したｘ座標およびｚ座標と、顔画像上から検出された被検眼のｙ座標から被検眼の３次元座標を推定してもよい。
【００１８】
なお、制御部は、１つの座標成分を仮定する場合、被検眼の標準的なｚ座標を３次元座標の１つの座標成分として仮定してもよい。例えば、被検者の顔が顔支持部に支持された状態において、平均的な眼のｚ座標の標準値をｚ座標として仮定する。一般的に、眼球が額に対して出ているかくぼんでいるかによるｚ座標の個人差は、瞳孔間距離（ｘ座標）または眼の高さ（ｙ座標）の個人差よりも小さい。したがって、被検者による個人差が少ないｚ座標を仮定することによって、被検眼の真の３次元座標に対して誤差の少ない仮の３次元座標を推定することができる。
【００１９】
なお、制御部は、座標成分の条件を変更し、複数回にわたって仮の３次元座標を算出してもよい。例えば、制御部は、標準値だけでなく、標準値の前後の複数の値を用いて座標成分を仮定してもよい。この場合、眼科装置は、ある仮の３次元座標に基づいて調整部を駆動させた結果、アライメントが上手くいかなかったときでも、別の仮の３次元座標に基づいてアライメントをやり直すことができる。
【００２０】
また、制御部は、ｘ座標を仮定した場合と、ｙ座標を仮定した場合と、ｚ座標を仮定した場合のそれぞれにおいて、仮の３次元座標を算出してもよい。この場合、制御部は、それぞれの場合について算出された仮の３次元座標の１つに基づいて駆動部を制御し、検眼部のアライメントを行ってもよい。このように、本実施形態の眼科装置は、ｘ座標とｙ座標とｚ座標をそれぞれ仮定することによって、より尤もらしい被検眼の３次元座標を得ることができる。
【００２１】
なお、制御部は、仮の３次元座標に基づいて、被検眼の位置が検眼部の駆動範囲内であるか否かを判定してもよい。検眼部の駆動範囲外である場合、制御部は、被検眼が検眼部の駆動範囲内に入るように顔支持部を駆動させてもよい。これによって、検眼部の駆動範囲外に被検眼が位置する場合でも検査を行える。
【００２２】
なお、眼科装置は、アライメント検出部をさらに備えてもよい。アライメント検出部は、例えば、被検眼と検眼部とのアライメント状態を検出する。例えば、アライメント検出部は、前眼部撮影光学系と、指標投影光学系を備える。前眼部撮影光学系は、被検眼の前眼部を撮影する。指標投影光学系は、被検眼に対してアライメント指標を投影する。例えば、アライメント検出部は、前眼部画像からアライメント指標を検出し、アライメント指標の位置からアライメント状態を検出する。
【００２３】
制御部は、仮の３次元座標に基づいて駆動部を駆動させる場合、アライメント検出部によるアライメント状態の検出を並行して行ってもよい。そして、検眼部を仮の３次元座標の位置に移動させるまでにアライメント状態が検出可能になった場合は、アライメント検出部によって検出されるアライメント状態に基づいて検眼部の駆動を制御してもよい。これによって、仮の３次元座標に基づく粗アライメントから、アライメント検出部の検出結果に基づく微アライメントにスムーズに移行できる。
【００２４】
なお、制御部は、両眼の仮の３次元座標に基づいて、被検者の顔が傾いているか否か判定してもよい。例えば、制御部は、両眼の３次元座標が所定より大きく上下方向に差がある場合、被検者の顔が傾いていると判定してもよい。制御部は、被検者の顔が傾いていると判定した場合、エラー処理を行ってもよい。エラー処理は、例えば、測定の停止、顔の乗せ方の確認を促す報知などの処理である。例えば、制御部は、表示部、スピーカ、光源等の報知部によって顔が傾いていることを検者または被検者に報知してもよい。このように、被検者の顔の傾きを直させることによって、例えば、乱視軸角度等の測定値にずれが生じることを防止できる。
【００２５】
なお、制御部は、顎台駆動ボタンからの出力を受け付けると、仮の３次元位置に基づいて算出した位置に顎台を駆動させてもよい。顎台駆動ボタンは、例えば、装置本体に備えられてもよいし、表示部に表示されてもよいし、装置本体と接続される外部装置に設けられてもよい。例えば、制御部は、被検眼の仮の３次元位置が検眼部の駆動範囲よりも上側にある場合は顎台の駆動方向は下方向であると判定し、仮の３次元位置が検眼部の駆動範囲よりも下側にある場合は顎台の駆動方向は上方向であると判定する。このように、制御部は、被検眼の仮の３次元位置に基づいて顎台を駆動させる方向を判定できるため、被検者が顎台の駆動方向を判断する必要が必ずしもない。なお、仮の３次元位置に基づいて顎台を動かす方向だけでなく駆動量も求まるため、制御部は、顎台を自動で適正な位置に移動できる。また、１つの駆動ボタンで上下どちらとも移動させることができるため、顎台を上方向に移動させるボタンと下方向に駆動させるボタンの２つを備えなくともよく、装置構成を簡略化できる。なお、２つのボタンが備わる場合、制御部は、被検眼の仮の３次元位置から判定した顎台の駆動方向とは異なる方向のボタンからの入力を無効にしてもよいし、どちらのボタンが押されたときでも制御部によって算出された駆動方向に顎台を駆動させるようにしてもよい。
【００２６】
なお、制御部は、顎台を移動させる必要があると判定した場合であっても、顎台駆動ボタンからの顎台駆動ボタンからの出力を受け付けるまで顎台を移動させずに待機してもよい。そして、制御部７０は、顎台駆動ボタンからの顎台駆動ボタンからの出力を受け付けてから被検眼の仮の３次元位置が検眼部の駆動範囲に入る位置まで、自動で顎台を駆動させてもよい。これによって、顎台が不意に動き出す心配がなくなる。
【００２７】
なお、制御部は、顎台ボタンからの出力を継続して受け付けている場合だけ、顎台を駆動させてもよい。例えば、制御部は、顎台ボタンが押されている間だけ顎台を駆動させ、顎台駆動ボタンが押されなくなったときは、顎台の駆動を停止させてもよい。これによって、検者は、顎台と額当てなどに被検者の顔が挟まれそうになった場合に顎台駆動ボタンを離すことによって顎台の駆動を停止させることができる。
【００２８】
なお、制御部は、被検者の顔が顔支持部に支持されている場合は、顎台の駆動を停止させるようにしてもよい。例えば、制御部は、センサによって被検者の顔が顔支持部にあることを検知している間は、顎台を駆動させないようにしてもよい。例えば、制御部は、顎台に設けられたセンサによって被検者の顔が顎台に置かれていることを検知している場合は顎台の駆動を停止させ、センサによって被検者の顔が顎台から離れたことを検知した場合に顎台を駆動させるようにしてもよい。これによって、顎台の駆動によって被検者の顔が装置の隙間に挟まれることなどを防止することができる。なお、顎台の駆動量が所定値（例えば、５ｍｍ）よりも小さい場合は、センサの検知結果に関わらず顎台を駆動させてもよい。また、顔撮影部によって撮影された顔画像から被検者の眼が検出されるか否かによって被検者の顔が顔支持部にあるか否かを検知してもよい。
【００２９】
なお、顔撮影部は、非テレセン光学系であってもよいし、テレセン光学系であってもよい。顔撮影部がテレセン光学系の場合、制御部は、検眼手段の検査光軸と顔撮影部の撮影光軸のＸＹ方向のずれ量だけオフセットして、顔画像によるアライメントを行ってもよい。
【００３０】
＜第２実施形態＞
第２実施形態について説明する。第２実施形態の眼科装置は、例えば、被検者の眼を検査する際に被検者または検者に対してアナウンスを行うことができる。眼科装置（例えば、眼科装置１）は、人検知器（例えば、顔撮影部９０、センサ１１３など）と、報知部（例えば、スピーカ７９）と、制御部（例えば、制御部７０）を主に備える。
【００３１】
人検知部は、例えば、被検者の有無を検知する。人検知部は、例えば、被検者が顔支持部に顔を支持させているか否かを検知する。人検出器は、例えば、顎台に設けられた顎台センサであってもよい。例えば、顎台センサは、顎台に被検者の顎が載せられたことを検知するセンサである。人検知部の検知結果は、制御部に入力される。
【００３２】
報知部は、例えば、被検者または検者にアナウンスを行う。報知部は、音声出力部（例えば、スピーカ７９）であってもよい。例えば、報知部は、被検者または検者に音声アナウンスを行う。音声アナウンスとしては、例えば、「顎を離してください」、「瞬きをしてください」、「目を大きく開けてください」等である。もちろん、報知部は、被検者および検者に報知するために、表示部にメッセージを表示してもよいし、表示灯を点灯させてもよい。
【００３３】
制御部は、報知部等の眼科装置の各部の制御を司る。例えば、制御部は、人検知器の検知結果に基づいて、被検者の有無を判定する。また制御部は、報知部を制御する。このとき、制御部は、被検者の有無の判定結果に基づいて報知部を制御してもよい。
【００３４】
第２実施形態の装置は、人検知器からの検出結果に基づいて報知部を制御することによって、被検者の状態に応じた適切なアナウンスを行うことができる。したがって、検者が離れた位置にいる場合であっても、被検者は、眼科装置のアナウンスに従って検査を容易に行うことができる。
【００３５】
なお、眼科装置は、例えば、顎台（顎台１１）と、顎台駆動部（例えば、顎台駆動部１２）をさらに備えてもよい。顎台は、例えば、被検者の顎を支持する。顎台駆動部は、顎台を上下方向に移動させることによって、顎台の高さを調整する。眼科装置が顎台および顎台駆動部を備える場合、制御部は、報知部によって顎台から顎を離すように被検者にアナウンスしてもよい。このとき、制御部は、人検知器からの検知結果から被検者の有無を判定し、被検者がいると判定された場合は、前記顎台から顎を離す旨のアナウンスを行ってもよい。そして、制御部は、被検者が顎台から離れることによって、人検知器によって被検者が検知されない場合、顎台を駆動させてもよい。
【００３６】
なお、制御部は、顎台を適正位置に駆動させるための駆動量に応じて、アナウンスの内容を変更してもよい。例えば、顎台の駆動量が所定より大きい場合に、被検者に顎台から顎を離すようにアナウンスし、駆動量が所定よりも小さい場合に、被検者の顎台に顎を載せたまま顎台を駆動させる旨のアナウンスをしてもよい。このように、駆動量の大きさに基づいて、被検者に顎台から離れるようにアナウンスするか否か判定してもよい。これによって、少しだけ顎台を調整するだけでよい場合に、わざわざ被検者に顎を外してもらうことなく検査を行える。
【００３７】
なお、人検知器は、例えば、顔撮影部と制御部であってもよい。顔撮影部は、例えば、左右の少なくとも一方の被検眼を含む顔画像を撮影する。例えば、制御部は、顔撮影部によって撮影された画像から被検者の眼を検出できないときは被検者が存在しないと判定し、検出できたときに被検者が存在すると判定してもよい。
【００３８】
なお、制御部は、被検者の検査終了後、検眼部と顎台の少なくともいずれかを初期化する前に、初期化を行う旨のアナウンスを行ってもよい。例えば、制御部は、被検者の検査が終わった後に「初期化します」というアナウンスを行ってから、検眼部および顎台などを初期位置に戻してもよい。これによって、被検者または検者が装置と接触することを防止でき、初期動作に驚くこともなくなる。
【００３９】
なお、制御部は、瞬きを促すためのアナウンスを行ってもよい。例えば、制御部は、「瞬きをして下さい」等の音声を報知部によって出力してもよい。また、眼科装置は、瞬き検知部をさらに備えてもよい。瞬き検知部は、例えば、前眼部カメラ等によって撮影された画像の画像処理によって瞬きを検知してもよい。例えば制御部は、瞬き検知器によって被検者の瞬きが検知されたときに被検眼の検査を開始してもよい。
【００４０】
＜第３実施形態＞
本開示に係る第３実施形態について説明する。第３実施形態の眼科装置は、顎台（例えば、顎台１１）と、作動部（例えば、作動部１００）と、検知部（例えば、顎載せ検知部１０９）を主に備える。顎台は、被検者の顎を支持する。また、顎台は、被検眼の高さ（アイレベル）を調整するために上下に駆動する。
【００４１】
作動部は、顎台に顎が載せられた場合に顎台を下方向に沈み込ませる。作動部は、例えば、顎台駆動部（例えば、顎台駆動部１２）とは別に設けられ、顎台駆動部ごと顎台を沈み込ませる。検知部は、作動部による顎台の沈み込みを検知する。検知部は、フォトセンサ、圧力センサ、磁気センサ等の各種センサ、またはスイッチ等が用いられる。顎台が被検者の顎によって押し込まれたことを検出できればよい。例えば、顎台が押し込まれたときの圧力を圧力センサによって検知してもよい。検知部は、顎台調整時の顎台の上下動ではなく、顎台上下機構全体の沈み込みを検知する。
【００４２】
上記のように、顎台の沈み込みを検知することによって、被検者の顎が顎台に載せられたか否かを検知することができる。また、上記のように、顎台駆動部によって駆動しない位置に検知部を設けることによって、検知部のセンサのハーネスが顎台の駆動によって断線する可能性を低減できる。
【００４３】
また、検知部が額当てに設けられる場合は、センサを取り付けるスペースが少ない。また、女性は化粧がくずれるため、額当てに額を当てない可能性があるため、安全のための検出機構としては額当て側ではなく顎台に検知部を設けた方がよい。
【００４４】
また、上記のように、検知部を設けることによって、無人検眼時の顎台上下動による怪我のリスク回避、無人検眼時の測定トリガーへの利用等が期待される。
【００４５】
なお、作動部は、顎台と顎台駆動部を一体的に下方向に沈み込ませる構成とすることによって、顎台の高さを調整するための駆動機構への影響を少なくできる。
【００４６】
なお、作動部は、付勢部材（例えば、バネ１１０）を備えてもよい。付勢部材は、例えば、顎台を上方向に持ち上げるように付勢する。付勢部材は、例えば、弾性部材であってもよい。付勢部材は、例えば、被検者が顎台に顎を載せる力よりも弱い力で顎台を持ち上げる。これによって、顎台に顎が載せられていないときは、顎台は付勢部材によって上方向に持ち上げられた状態になっており、顎台に顎が載せられると、顎からの力によって下方向に押し込まれる。
【００４７】
なお、作動部は、顎台が沈み込む際の移動量を規制する規制部（例えば、上ストッパ１０６、下ストッパ１０７）を備えてもよい。例えば、規制部は、検知部によって検知できる移動量だけ顎台が沈み込むように顎台の沈み込みを規制する。
【００４８】
なお、眼科装置は、顎台を上下方向に移動可能に支持する支柱と、支柱の上下動をガイドする軸受部を備えてもよい。軸受部は、顎台駆動部によって顎台を駆動される場合に支柱の上下動をガイドするだけでなく、作動部によって顎台が移動される場合にも支柱の上下動をガイドしてもよい。これによって、作動部に上下方向のガイド部材を設けなくともよく、作動部の大型化を防ぐことができる。
【００４９】
＜実施例＞
本開示に係る眼科装置を図面に基づいて説明する。なお、以下の説明では、眼科装置として眼屈折力測定装置を例に説明するが、角膜曲率測定装置、角膜形状測定装置、眼圧測定装置、眼軸長測定装置、眼底カメラ、ＯＣＴ（optical coherence tomography）、ＳＬＯ（Scanning Laser Ophthalmoscope）等の他の眼科装置にも適用可能である。
【００５０】
本実施例の眼科装置は、例えば、被検眼の眼屈折力を他覚的に測定する。例えば、本実施例の眼科装置は、片眼毎に測定を行ってもよいし、両眼同時に（両眼視で）測定を行う装置であってもよい。眼科装置は、例えば、検眼部と、撮影部と、駆動部と、制御部と、を主に備える。
【００５１】
＜外観＞
図１に基づいて、眼科装置の外観を説明する。図１に示すように、本実施例の眼科装置１は、検眼部２と、顔撮影部９０と、駆動部４と、を主に備える。検眼部２は、被検眼を検査する。検眼部２は、例えば、被検眼の眼屈折力、角膜曲率、眼圧等を測定する光学系を備えてもよい。また、検眼部２は、被検眼の前眼部、眼底等を撮影するための光学系等を備えてもよい。本実施例では、屈折力を測定する検眼部２を例に説明する。顔撮影部９０は、例えば、被検眼の顔を撮影する。顔撮影部９０は、例えば、左右の被検眼のうち少なくとも一方を含む顔を撮影する。駆動部４は、例えば、検眼部２および撮影部９０を基台５に対して上下左右前後方向（３次元方向）に移動させる。
【００５２】
さらに、本実施例の眼科装置１は、例えば、筐体６、表示部７、操作部８、顔支持部９等を備えてもよい。例えば、筐体６は、検眼部２、顔撮影部９０、駆動部４等を収納する。表示部７は、例えば、被検眼の観察画像および測定結果等を表示させる。表示部７は、例えば、装置１と一体的に設けられてもよいし、装置とは別に設けられてもよい。眼科装置１は、操作部８を備えてもよい。操作部８は、装置１の各種設定、測定開始時の操作に用いられる。操作部８には、検者による各種操作指示が入力される。例えば、操作部８は、タッチパネル、ジョイスティック、マウス、キーボード、トラックボール、ボタン等の各種ヒューマンインターフェイスであってもよい。顔支持部９は、例えば、額当て１０と顎台１１を備えてもよい。顎台１１は、顎台駆動部１２の駆動によって上下方向に移動されてもよい。
【００５３】
＜制御系＞
図２に示すように、本装置１は制御部７０を備える。制御部７０は、本装置１の各種制御を司る。制御部７０は、例えば、一般的なＣＰＵ（Central Processing Unit）７１、ＲＯＭ７２、ＲＡＭ７３等を備える。例えば、ＲＯＭ７２には、眼科装置を制御するための眼科装置制御プログラム、初期値等が記憶されている。例えば、ＲＡＭは、各種情報を一時的に記憶する。制御部７０は、検眼部２、顔撮影部９０、駆動部４、表示部７、操作部８、顎台駆動部１２、記憶部（例えば、不揮発性メモリ）７４等と接続されている。記憶部７４は、例えば、電源の供給が遮断されても記憶内容を保持できる非一過性の記憶媒体である。例えば、ハードディスクドライブ、着脱可能なＵＳＢフラッシュメモリ等を記憶部７４として使用することができる。
【００５４】
＜検眼部＞
検眼部２は、被検眼の測定，検査，撮影などを行う。検眼部２は、例えば、被検眼の屈折力を測定する測定光学系を備えてもよい。例えば、図３に示すように、検眼部２は、測定光学系２０と、固視標呈示光学系４０と、指標投影光学系５０と、観察光学系（撮像光学系）６０と、を備えてもよい。
【００５５】
測定光学系２０は、投影光学系（投光光学系）２０ａと、受光光学系２０ｂと、を有している。投影光学系２０ａは、被検眼の瞳孔を介して眼底Ｅｆに光束を投影する。また、受光光学系２０ｂは、瞳孔周辺部を介して眼底Ｅｆからの反射光束（眼底反射光）をリング状に取り出し、主に屈折力の測定に用いるリング状の眼底反射像を撮像する。
【００５６】
投影光学系２０ａは、測定光源２１と、リレーレンズ２２と、ホールミラー２３と、対物レンズ２４と、を光軸Ｌ１上に有している。光源２１は、リレーレンズ２２から対物レンズ２４、および、瞳孔中心部を介して眼底Ｅｆにスポット状の光源像を投影する。光源２１は、移動機構３３によって光軸Ｌ１方向に移動される。ホールミラー２３には、リレーレンズ２２を介した光源２１からの光束を通過させる開口が設けられている。ホールミラー２３は、被検眼の瞳孔と光学的に共役な位置に配置されている。
【００５７】
受光光学系２０ｂは、ホールミラー２３と、対物レンズ２４と、を投影光学系２０ａと共用する。また、受光光学系２０ｂは、リレーレンズ２６と、全反射ミラー２７と、を有している。更に、受光光学系２０ｂは、受光絞り２８と、コリメータレンズ２９と、リングレンズ３０と、撮像素子３２と、をホールミラー２３の反射方向の光軸Ｌ２上に有している。撮像素子３２には、エリアＣＣＤ等の二次元受光素子を用いることができる。受光絞り２８、コリメータレンズ２９、リングレンズ３０、及び撮像素子３２は、移動機構３３によって、投影光学系２０ａの測定光源２１と一体的に光軸Ｌ２方向に移動される。移動機構３３によって光源２１が眼底Ｅｆと光学的に共役な位置に配置される場合、受光絞り２８及び撮像素子３２も、眼底Ｅｆと光学的に共役な位置に配置される。
【００５８】
リングレンズ３０は、対物レンズ２４からコリメータレンズ２９を介して導かれる眼底反射光を、リング状に整形するための光学素子である。リングレンズ３０は、リング状のレンズ部と、遮光部と、を有している。また、受光絞り２８及び撮像素子３２が、眼底Ｅｆと光学的に共役な位置に配置される場合、リングレンズ３０は、被検眼の瞳孔と光学的に共役な位置に配置される。撮像素子３２では、リングレンズ３０を介したリング状の眼底反射光（以下、リング像という）が受光される。撮像素子３２は、受光したリング像の画像情報を、ＣＰＵ７１に出力する。その結果、ＣＰＵ７１では、表示部７でのリング像の表示、およびリング像に基づく屈折力の算出等が行われる。
【００５９】
また、図３に示すように、本実施例では、対物レンズ２４と被検眼との間に、ダイクロイックミラー３９が配置されている。ダイクロイックミラー３９は、光源２１から出射された光、および、光源２１からの光に応じた眼底反射光を透過する。また、ダイクロイックミラー３９は、後述の固視標呈示光学系４０からの光束を被検眼に導く。更に、ダイクロイックミラー３９は、後述の指標投影光学系５０からの光の前眼部反射光を反射して、その前眼部反射光を観察光学系６０に導く。
【００６０】
図３に示すように、被検眼の前方には、指標投影光学系５０が配置されている。指標投影光学系５０は、主に、被検眼に対する光学系の位置合わせ（アライメント）に用いられる指標を前眼部に投影する。この場合、指標投影光学系５０は、被検眼に対する光学系のＸＹ方向又はＺ方向の少なくともいずれかに位置合わせ（アライメント）に用いられる指標を前眼部に投影する。なお、指標投影光学系５０を用いず、前眼部画像における特徴部位を検出することによってアライメント検出を行うようにしてもよい。もちろん、指標検出と、特徴部位の検出とを併用して、アライメントを検出してもよい。
【００６１】
指標投影光学系５０は、例えば、リング指標投影部５１と、指標投影部５２と、を備える。リング指標投影部５１は、被検者眼Ｅの角膜に拡散光を投影し、リング指標（いわゆるマイヤーリング）を投影する。リング指標投影部５１は、本実施例の眼科装置１では、被検者眼Ｅの前眼部を照明する前眼部照明としても用いられる。指標投影部５２は、被検眼の角膜に平行光を投影し、無限遠指標を投影する。
【００６２】
視標呈示光学系４０は、光源４１、固視標４２、リレーレンズ４３、反射ミラー４６の反射方向の光軸Ｌ４上に有している。固視標４２は、他覚屈折力測定時に被検眼を固視させるために使用される。例えば、光源４１によって固視標４２が照明されることによって、被検眼に呈示される。
【００６３】
光源４１及び固視標４２は、駆動機構４８によって光軸Ｌ４の方向に一体的に移動される。光源４１及び固視標４２の移動によって、固視標の呈示位置（呈示距離）を変更してもよい。これによって、被検眼に雲霧をかけて屈折力測定を行うことができる。
【００６４】
前眼撮影光学系６０は、撮像レンズ６１と、撮像素子６２とを、ハーフミラー６３の反射方向の光軸Ｌ３上に備える。撮像素子６２は、被検眼の前眼部と光学的に共役な位置に配置される。撮像素子６２は、リング指標投影部５１によって照明される前眼部を撮像する。撮像素子６２からの出力は、ＣＰＵ７１に入力される。その結果、撮像素子６２によって撮像される被検眼の前眼部画像が、表示部７に表示される（図２参照）。また、撮像素子６２では、指標投影光学系５０によって被検眼の角膜に形成されるアライメント指標像（本実施例では、リング指標および無限遠指標）が撮像される。その結果、ＣＰＵ７１は、撮像素子６２の撮像結果に基づいてアライメント指標像を検出できる。また、ＣＰＵ７１は、アライメント状態の適否を、アライメント指標像が検出される位置に基づいて判定できる。
【００６５】
＜顔撮影部＞
顔撮影部９０は、例えば、左右の被検眼のうち少なくとも一方を含む顔を撮影するための光学系である。例えば、図３に示すように、本実施例の顔撮影部９０は、例えば、撮像素子９１と、撮像レンズ９２を主に備える。
【００６６】
本実施例の顔撮影部９０は、駆動部４によって検眼部２とともに移動される。もちろん、顔撮影部９０は、例えば、基台５に対して固定され、移動しない構成でもよい。
【００６７】
なお、撮影レンズ９２は、例えば、広角レンズであってもよい。広角レンズは、例えば、魚眼レンズ、円錐レンズ等である。広角レンズを備えることによって、顔撮影部９０は、広い画角で被検者の顔を撮影できる。画角は例えば、８７°以上である。これによって、顔撮影部９０は、被検者の両眼を撮影し易い。
【００６８】
＜制御方法＞
以下、本装置１の制御動作について説明する。本装置１は、例えば、被検眼を検査するために、検眼部２と被検眼とのアライメントを全自動（フルオート）で行う。
【００６９】
フルオート測定のフローチャートを図４に示す。例えば、制御部７０は、測定を行った後、フルオートアライメントを行い、被検眼Ｅと検眼部２との位置合わせを行う。その後、眼の測定を行い、もう一方の眼に検眼部２を移動させて再度フルオートアライメントを行う。アライメントが完了すると、制御部７０は、被検眼の測定を行い、処理を終了する。以下、各ステップについて説明する。
【００７０】
｛ステップＳ１００：顎台調整｝
ステップＳ１００において、制御部７０は顎台調整を行う。顎台調整についての詳細は後述する。制御部７０は、顎台調整が完了すると、ステップＳ２００に移行する。
【００７１】
｛ステップＳ２００：フルオートアライメント（１）｝
ステップＳ２００において、制御部７０は、左右の一方の被検眼に対するフルオートアライメントを行う。例えば、制御部７０は、顔撮影部９０によって撮影された顔画像から被検者の眼を検出し、その方向に検眼部２を移動させる。このとき、制御部７０は、前眼部観察光学系６０によって撮影された被検眼の前眼部画像から、指標投影光学系５０によって投影されたアライメント指標を検出してもよい。顔画像から検出された被検眼の情報に基づいて、粗アライメントが行われたところで、前眼部画像からアライメント指標を検出すると、制御部７０は、アライメント指標による微アライメントを行う。例えば、制御部７０は、アライメント指標の位置が所定位置となるように検眼部２を移動させ、アライメントを完了させる。
【００７２】
｛ステップＳ３００：測定（１）｝
ステップＳ３００において、制御部７０は被検眼の検査を行う。例えば、制御部７０は、測定光を被検眼の眼底に照射し、眼底によって反射された測定光の検出結果に基づいて、被検眼の眼屈折力を測定する。
【００７３】
｛ステップＳ４００：左右眼切換｝
ステップＳ４００において、制御部７０は測定対象眼を切り換える。例えば、制御部７０は、ステップＳ３００において検査が完了した眼からもう一方の眼に検眼部２を移動させる。
【００７４】
｛ステップＳ５００：フルオートアライメント（２）｝
ステップＳ５００において、制御部７０は検査が完了していない方の被検眼に対して、ステップＳ２００と同様にフルオートアライメントを行う。
【００７５】
｛ステップＳ６００：測定（２）｝
ステップＳ６００において、制御部７０は、もう一方の被検眼の検査を行う。
【００７６】
＜３次元位置推定＞
次に、撮影画像から検出された眼の位置を利用して被検眼の３次元位置を推定する手法について説明する（例えば、図７参照）。なお、以下の説明では、顎台の位置調整での適用を例として説明するが、これに限定されず、検眼部２の位置調整においても適用可能である。
【００７７】
図５は、本実施例の眼科装置の顎台制御についてのフローチャートである。本実施例において、制御部７０は、被検者が顎台１１に顔を乗せた際にアイレベルのずれ量を求め、その結果をもとに顎台１１の高さを制御する。
【００７８】
｛ステップＳ１１０：顔画像撮影｝
制御部７０は、顎台１１に顎を乗せた状態の被検者の顔を撮影する。図６は顔撮影部９０によって撮影された顔画像の一例である。顔撮影部９０の撮影位置は、おおよそ左右は中央、上下はアイレベル、前後は、検者側に引いた位置である。
【００７９】
｛ステップＳ１２０：眼検出｝
制御部７０は、図６に示すように、ステップＳ１１０で撮影した顔画像ＰＩＣ０から被検眼を検出し、画像上の右被検眼の座標（ｘＲ，ｙＲ）、左被検眼の座標（ｘＬ，ｙＬ）を記憶部７４等に記憶させる（図７参照）。画像から被検眼を検出する方法としては、例えば、赤外撮影による瞳孔検出、輝度値のエッジ検出等の種々の画像処理方法が挙げられる。例えば、被検者の顔を赤外撮影した場合、肌は白く写り、瞳孔は黒く写る。したがって、制御部７０は、赤外撮影によって得られた赤外画像から丸くて黒い（輝度の低い）部分を瞳孔として検出してもよい。上記のような方法を用いて、制御部７０は、顔画像から被検眼を検出し、その２次元位置情報を取得する。
【００８０】
｛ステップＳ１３０：３次元位置推定｝
制御部７０は、ステップＳ１２０によって求められた画像中の右被検眼の座標（ｘＲ，ｙＲ）、左被検眼の座標（ｘＬ，ｙＬ）に基づいて、右被検眼の３次元座標（ＸＲ，ＹＲ，ＺＲ）、左被検眼の３次元座標（ＸＬ，ＹＬ，ＺＬ）を算出する。例えば、（ｘＲ，ｙＲ）と（ＸＲ，ＹＲ，ＺＲ）の関係は、式（１）で表される。
【数１】
0006701987.tif 000002
ただし、ｈは定数、Ｉはカメラ内部パラメータで、焦点距離ｆｘ，ｆｙ、スキュー歪みｓ、光学中心の座標（ｃｘ，ｃｙ）とすると式（２）になる。
【数２】
0006701987.tif 000003
また、（Ｒ｜Ｔ）はカメラ外部パラメータで、Ｒは回転成分、Ｔは平行移動成分で、それぞれ式（３）、（４）で表される。
【数３】
0006701987.tif 000004
【数４】
0006701987.tif 000005
式（１）より、（ｘＲ，ｙＲ），Ｉ，Ｒ，Ｔが既知のとき、未知数はｈ，（ＸＲ，ＹＲ，ＺＲ）である。ここで、４つの未知数の中の１つを標準値であると仮定すると、未知数はｈ，ＸＲ，ＹＲの３つとなり、式（１）を解くことで求めることができる。
【００８１】
顎台１１に顔を乗せた状態であれば、眼のＺ座標は概ね同じ位置になり、その個人差は左右位置（つまりＰＤ）、上下位置（顔の大きさ、顎台位置などに依存）ほどではないと考えられる。そこで、本実施例では、ＺＲが標準値であると仮定する。式（１）を変形させて式（５）となる。
【数５】
0006701987.tif 000006
【数６】
0006701987.tif 000007
ここで、式（７），（８）で表現される行列Ｍ，Ｎをおく。
【数７】
0006701987.tif 000008
【数８】
0006701987.tif 000009
行列Ｍ，Ｎを使うと式（６）は式（９）のように表現される。
【数９】
0006701987.tif 000010
すると、式（９）よりｈは式（１０）で与えられる。
【数１０】
0006701987.tif 000011
よって、式（９），（１０）より、ＸＲ，ＹＲは式（１１）で与えられる。
【数１１】
0006701987.tif 000012
制御部７０は、式（１１）によってＸＲ，ＹＲを求める。なお、ＺＲの標準値は、例えば、被検者が顔を顔支持部９に支持させたときの平均的な眼の位置に設定されてもよい。なお、ＺＲの標準値は記憶部７４等に記憶され、検者によって自由に変更できるようにしてもよい。同様に、制御部７０は、ＸＬ，ＹＬを導出する。
【００８２】
｛ステップＳ１４０：アイレベルのずれ量判定｝
制御部７０は、被検眼の適正アイレベルからのずれ量の算出を行う。例えば、制御部７０は、ステップＳ１３０で算出した被検眼の３次元座標と適正アイレベルとのずれ量を算出する。ステップＳ１３０で求めたＹＲ，ＹＬのうち、アイレベルに対する誤差が大きい方のずれ量を、アイレベルずれ量とする。アイレベルずれ量が十分許容範囲である場合、制御部７０は、測定可能なアイレベルだと判定し、顎台調整を終了する。
【００８３】
例えば、検眼部２を移動させて被検眼を測定できるＹ方向の移動範囲が＋α〜−αであるとき、被検眼の推定高さが＋α〜−αより狭い範囲である＋β〜−βの範囲内のとき、測定可能なアイレベルだと判定する。被検眼の推定位置には誤差が含まれるため、＋α〜−αより狭い範囲である＋β〜−βの範囲で判定することによって、制御部７０は、被検眼が確実に測定可能な移動範囲に収まる場合に測定可能なアイレベルであると判定できる。
【００８４】
また、制御部７０は、３次元座標を推定した結果、顔が傾いていると考えられる場合はエラーとしてもよい。例えば、図８（ａ）のように被検者の顔が傾いている場合には、推定されたＹＲとＹＬの差が大きくなり、エラーとする。また、図８（ｂ）のようにＹ軸周りに顔が傾いている場合は実際の眼のＺ座標と標準位置ＺＲ＝ＺＬとの差が大きくなり、その結果推定されたＹＲとＹＬの差が大きくなる。そこで、ＹＲとＹＬの差が大きいときは、制御部７０は、顔の向きが正しくないと判定し、エラーとする。
【００８５】
｛ステップＳ１５０：顎台駆動｝
制御部７０は、ステップＳ１４０において、適正アイレベルか大きい場合は、ずれ量だけ顎台１１を駆動させる。制御部７０は、例えば、図９に示すように、表示部７に被検者の顔を額当て１０と顎台１１から離すように指示する旨の表示を行ってもよい。例えば、検者は、被検者の顔を顎台１１から離し、顎台ボタン１２０を押す。制御部７０は、顎台ボタン１２０が押されると、算出されたずれ量に基づいて、顎台１１を目標位置まで駆動させる。このように制御部７０は、被検者のアイレベルを検眼部２の駆動範囲内に収まるように顎台１１を駆動する。
【００８６】
上記のように、３次元座標の１つの座標成分を仮定することによって、１つの顔撮影部９０によって１箇所で撮影した画像から被検眼の３次元位置を推定することができる。これによって、制御部７０は、測定可能なアイレベルに被検眼を移動させるための顎台の調整量を算出することができる。
【００８７】
また、制御部７０によって顎台１１を動かす方向が取得されるため、検者は顎台１１を動かす方向を指定しなくてもよい。また、検者は顎台１１の高さが適切かどうか目視で確認しながら顎台１１を上下させなくてもよく、顎台ボタン１２０を押すだけでよい。
【００８８】
また、ステレオ計測を行わなくても容易に顎台調整量を求めることができるため、カメラを複数設けてコストが上がったり、複数の位置から撮影して測定時間が増加したりすることが不要になる。また、テレセン光学系等の特殊なカメラを必ずしも用いなくてもよい。
【００８９】
なお、ステップＳ１５０の顎台調整において、制御部７０は、顎台ボタン１２０を押されている間だけ、顎台を動かし、顎台ボタン１２０が離されると停止させるようにしてもよい。この場合、制御部７０は、算出されたずれ量に基づいて顎台１１を駆動させ、顎台ボタン１２０が押された状態で目標位置に到達すると、顎台調整を終了する。
【００９０】
また、ステップＳ１５０において、制御部７０は、顎台に設けられたセンサ、または顔撮影部によって撮影された顔画像の眼検出結果に基づいて被検者の顔が顎台から離れたことを検知し、自動で顎台を目標の位置まで駆動させてもよい。もちろん、制御部７０は、被検者の有無に関係なく、アイレベルずれ量だけ、顎台を自動で駆動させてもよい。
【００９１】
また、上記の制御を組み合わせてもよい。例えば、制御部７０は、アイレベルずれ量が小さい場合は、顎台ボタン１２０が押されると目標の位置まで顎台１１を駆動させ、アイレベルずれ量が大きい場合は、被検者の顔が顎台から離れたことを検知したときに顎台を目標の位置まで移動させてもよい。
【００９２】
なお、以上の説明において、制御部７０は、顔画像から両眼を検出し、両眼の３次元位置を推定しているが、片眼のみの３次元位置を推定して顎台駆動または検眼部の駆動を行ってもよい。
【００９３】
なお、本実施例において、推定された３次元座標に基づいて顎台１１の高さを制御しているが、検眼部２の位置制御に３次元座標の推定値が用いられてもよい。例えば、制御部７０は、仮の３次元座標に基づいて検眼部２を移動させて粗アライメントを行いながら、前眼部画像のアライメント指標によるアライメント検出を行ってもよい。そして、制御部７０は、アライメント指標が検出された場合は、アライメント指標に基づく微アライメントを行うようにしてもよい。制御部７０は、検眼部２の駆動範囲内に被検眼が存在し、顎台１１を移動させる必要がない場合でも、仮の３次元座標に基づいて検眼部２を移動させてもよい。
【００９４】
なお、制御部７０は、ｘ座標またはｙ座標を仮定してもよい。例えば、制御部７０は、一般的な人の瞳孔間距離が６４ｍｍであることを用いてｘ座標を仮定してもよい。例えば、制御部７０は、顔画像上の被検者の瞳孔間距離が６４ｍｍであると仮定して、ｙ座標とｚ座標を算出してもよい。
【００９５】
なお、本実施例では、前眼撮影光学系６０によって撮影された前眼部画像において、アライメント指標を検出することによって最終的なアライメントを行うものとしたが、これに限らない。例えば、制御部７０は、前眼部画像の瞳孔位置、コントラスト、エッジ等から最終的なアライメントを行ってもよい。
【００９６】
＜音声アナウンス＞
なお、本実施例の眼科装置は、被検者または検者を誘導させる為の音声アナウンスを行うことができる。例えば、図１に示すように、眼科装置は、スピーカ７９を備えている。図２に示すように、制御部７０は、スピーカ７９と接続される。制御部７０は、スピーカ７９の音声出力を制御し、音声アナウンスを行う。例えば、制御部７０は、ステップＳ１５０において顎台１１から一旦顔を離してもらう必要がある場合、または測定前に瞬きをして欲しい場合などにアナウンスする。音声アナウンスする場合、制御部７０は、センサ１１３（図１，２）からの検出結果を利用してもよい。以下の説明は、センサ１１３からの出力に基づいて、アナウンスを行うときの一例である。
【００９７】
｛ステップＳ１５１：人検知（１）｝
本実施例の装置では、被検者の有無を判定し、音声アナウンスを行う。例えば、制御部７０は、センサ１１３からの出力によって人の有無を判定する。制御部７０は、センサ１１３からの出力がある場合は被検者がいると判定し、センサ１１３からの出力が無い場合は被検者がいないと判定する。制御部７０は、被検者がいると判定した場合、図５のステップＳ１１０〜Ｓ１３０と同様の処理を行い、ステップＳ１５３に進む。制御部７０は、被検者がいないと判定した場合はそのまま待機する。
【００９８】
｛ステップＳ１５３：顎台調整判定｝
ステップＳ１５３において、制御部７０は、顎台の調整が必要か否か判定を行う。制御部７０は、例えば、前述のように、被検眼の位置を推定し、顎台１１の調整が必要か否か判定する。制御部７０は、顎台１１を移動させる必要がない場合はステップＳ１６２に進み、顎台の調整が必要であると判定した場合はステップＳ１５４に進む。
【００９９】
｛ステップＳ１５４：顎台駆動量判定｝
ステップＳ１５４において、制御部７０は、顎台１１の駆動量の大きさを判定する。例えば、制御部７０は、顎台の駆動量が所定値よりも小さい場合はステップＳ１６０に進み、顎台１１の駆動量が所定値よりも大きい場合はステップＳ１５５に進む。なお、制御部７０は、駆動量の所定値は、記憶部７４等に記憶され、任意に設定可能であってもよい。
【０１００】
｛ステップＳ１５５：音声アナウンス（１）｝
ステップＳ１５５において、制御部７０は、顎台を駆動させる前に、顎台１１から顎を離す旨の音声アナウンスを行う。例えば、制御部７０は、「顎台を動かします、顎台から顎を離してください」等の音声をスピーカ７９によって出力する。
【０１０１】
｛ステップＳ１５６：人検知（２）｝
ステップＳ１５６において、制御部７０は、ステップＳ１５１と同様に被検者の有無を判定する。これによって、被検者の顎が顎台１１から離れたことが確認される。例えば、制御部７０は、センサ１１３からの出力が数秒間途絶えた場合に、被検者の顎が顎台から離れたと判定する。制御部７０は、被検者がいないと判定すると次のステップＳ１５７に進む。
【０１０２】
｛ステップＳ１５７：顎台駆動（１）｝
ステップＳ１５７において、制御部７０は、例えば、被検眼の推定位置に基づいて算出された顎台の駆動量だけ顎台１１を動かす。なお、制御部７０は、顎台１１を動かす直前に、再度、顎台１１を動かす旨の音声アナウンスを行ってもよい。
【０１０３】
｛ステップＳ１５８：音声アナウンス（２）｝
制御部７０は、顎台１１の移動が完了すると、被検者に対して顎台１１に顎を載せる旨の音声アナウンスを行う。例えば、制御部７０は、「顎台に顎を載せてください。」等の音声を出力させる。
【０１０４】
｛ステップＳ１５９：人検知（３）｝
ステップＳ１５９において、制御部７０は、被検者が顎を顎台１１に戻したことを検出する。制御部７０は、センサ１１３からの出力を検出すると、ステップＳ１１０に戻る。
【０１０５】
｛ステップＳ１６０：音声アナウンス（３）｝
ステップＳ１５４において顎台１１の駆動量が小さいと判定された場合、制御部７０は、顎が顎台１１に載せられた状態で顎台１１を駆動させる。制御部７０は、顎台１１を駆動させる前に、顎台１１を駆動させる旨の音声アナウンスを行う。例えば、制御部７０は、「顎台を動かします」等の音声を出力する。
【０１０６】
｛ステップＳ１６１：顎台駆動（２）｝
ステップＳ１６１において、制御部７０は、顎台１１を駆動させる。制御部７０は、適正な位置まで顎台１１を駆動させると、ステップＳ１１０に戻る。
【０１０７】
｛ステップＳ１６２：音声アナウンス（４）｝
ステップＳ１６２において、制御部７０は、スピーカ７９によって測定を開始する旨の音声アナウンスを行う。例えば、制御部７０は、「測定を開始します」、「フルオートアライメントを開始します」等の音声を出力させる。
【０１０８】
｛ステップＳ１６３：フルオートアライメント｝
制御部７０は、被検眼に対する検眼部２のフルオートアライメントを行う。
【０１０９】
｛ステップＳ１６４：音声アナウンス（５）｝
制御部７０は、測定前に被検者に準備を促す音声アナウンスを行う。例えば、制御部７０は、「瞬きをして下さい」、「目を大きく開けてください。」等の音声を出力してもよい。
【０１１０】
｛ステップＳ１６５：測定｝
ステップＳ１６５において、制御部７０は、被検眼の測定を行う。例えば、被検眼に測定光を照射し、その反射光を受光することによって被検眼の検査などを行う。
【０１１１】
｛ステップＳ１６６：音声アナウンス（６）｝
制御部７０は、測定を終了した旨の音声アナウンスを行う。例えば、「測定を終了しました。」等の音声アナウンスが出力される。制御部７０は、顎台１１から離れるように音声アナウンスを行う。例えば、「顎台から離れてください」等の音声を出力させる。制御部７０は、検眼部２の位置、顎台１１の位置等を初期化するためのアナウンスを行う。例えば、「初期化します」等の初期化を行う旨のアナウンスを行う。
【０１１２】
｛ステップＳ１６７：人検知（４）｝
ステップＳ１６７において、制御部７０は、ステップＳ１５１と同様に被検者の有無を判定する。これによって、被検者の顎が顎台１１から離れたことが確認される。制御部７０は、被検者がいないと判定すると次のステップＳ１６８に進む。
【０１１３】
｛ステップＳ１６８：初期化｝
ステップＳ１６８において、制御部７０は、装置の初期化を行う。例えば、制御部７０は、検眼部２の位置と、顎台１１の高さを初期位置に戻す。検眼部２の初期位置は、例えば、被検眼を少しの移動で被検眼を測定できる位置に設定される。顎台１１の初期位置は、例えば、平均的なアイレベルの位置に設定される。
【０１１４】
上記のように、本実施例の眼科装置は、検眼部２または顎台１１の移動を予め検者または被検者に報知することで、被検者または被検者が装置の急な動作に驚くことを防ぐ。また、眼科装置１は、音声アナウンスを行うことによって、顎台１１を大きく動かす場合に被検者の顔が顎台１１と額当て１０に挟まれないように顔を離してもらうことができる。本実施例のようなフルオートアライメントを行う眼科装置では、例えば、測定、初期化、顎台駆動が自動となっているため、動き出すタイミングを被検者に把握させることで、安全に測定を行うことができる。また、スピーカによる音声アナウンスを行うことで、わざわざ検者が口頭で指示する手間が省くことができる。
【０１１５】
眼科装置によっては、検査前に被検者に瞬きをさせたほうがよい装置がある。例えば、検査時間の長い視野計、空気などが噴出される非接触式眼圧計、強い光を照射する眼底カメラ等である。このような場合、ステップＳ１６６で示したように、眼科装置１は、測定前に準備を促すアナウンスを行うことで、安定した測定を行うことができる。例えば、被検者に瞬きをさせることによって、測定中の瞬きの低減、眼の乾燥防止、余分な涙の除去などが期待できる。なお、制御部７０は、涙が乾燥して輝点がぼやけていることを前眼部画像から検出した場合、瞬きをさせるようにアナウンスしてもよい。
【０１１６】
また、眼科装置によっては、検査前に被検者に眼を大きく開けてもらう必要がある装置がある。例えば、眼屈折力測定装置、非接触式眼圧計、眼底カメラ等は、被検者の目が大きく開いていた方が安定して測定できる。このような装置で検査する場合、ステップＳ１６６で示したように、測定前に眼を大きく開ける旨の音声アナウンスをしてもよい。このとき、前眼部撮影光学系によって撮影された前眼部画像から被検眼の眼の開き具合を検出し、目があまり開いていない場合に眼を大きく開ける旨の音声アナウンスをしてもよい。このように、前眼部画像からフィードバックすることによって、目の開き具合によって必要な時だけ音声アナウンスしてもよい。
【０１１７】
なお、測定中に片眼を閉じると、固視が安定しなかったり、眼が大きく見開かったりするため、測定中に両眼を開くようにアナウンスしてもよい。例えば、制御部７０は、「両眼を開けてください。」等の音声を出力してもよい。
【０１１８】
なお、眼底カメラ、角膜形状測定装置、眼圧計などの眼科装置の場合、強い光を照射したり、ノズルを接近させたり、空気を噴出させたり、音を照射したりすることがある。このような装置の場合、被検者が驚かないように予め次の動作を知らせるアナウンスを行ってもよい。例えば、「強い光が出ます。」、「ノズルが接近します。」、「空気が出ます」、「音が出ます」等の音声を出力してもよい。これらのアナウンスによって、被検者が驚いて顔支持部９から顔を外してしまうことを防止できる。
【０１１９】
また、制御部７０は、被検者に検査手順をアナウンスしてもよい。例えば、「装置の中をのぞいてください。緑の点滅が見えてきたら両目を大きく開き、瞬きをできるだけ我慢して、緑の点滅を見つめてください」等の音声を出力してもよい。これによって、測定手順が分からない被検者であっても、適正な検査を行える。
【０１２０】
なお、制御部７０は、検査時の注意事項をアナウンスしてもよい。例えば、制御部７０は、測定中に瞬きをしないように指示する音声アナウンスを行ってもよい。例えば、「測定中はできるだけ瞬きをしないようにお願いします。」等の音声を出力してもよい。
【０１２１】
なお、視野検査装置などの測定時間の長い装置は、制御部７０は、被検者の集中力を維持するための音声アナウンスを行ってもよい。例えば、制御部７０は、「固視灯がずれました」、「２０％終了しました。」等の音声を出力してもよい。これによって、被検者は検査状況を把握することができ、検査に集中できる。
【０１２２】
また、制御部７０は、測定の合間に、被検者をリラックスさせるためのアナウンスを行ってもよい。例えば、「指標を見て、楽にして下さい。」という音声を出力してもよい。これによって、緊張状態の維持による被検者の負担を軽減させることができる。
【０１２３】
なお、例えば、制御部７０は、左右眼を切り換える旨の音声アナウンスを行ってもよい。例えば、上記のステップＳ４００において、「続いて左眼を測定します」等の音声が出力されてもよい。これによって、被検者は、片眼の測定が終わった後、もう一方の眼を測定することを把握できるため、不用意に動くことがなくなり、スムーズに測定を行える。
【０１２４】
なお、制御部７０は、測定モードの切り換え時に、次にどの検査を行うのかをアナウンスしてもよい。これによって、どの検査を行っているか把握できるため、被検者不安を取り除くことができる。また、制御部７０は、眼底カメラ等の撮影装置においては、シャッター音を出力してもよい。これによって、被検者が撮影されていることを把握でき、顔または眼を動かさないように意識することができる。
【０１２５】
なお、制御部７０は、被検眼が検出できない、または被検眼の測定ができないときに、測定ができない旨の音声アナウンスを行ってもよい。また、制御部７０は、検者を呼ぶように被検者に指示する音声アナウンスを行ってもよい。これによって、測定時に検者が離れた位置にいたとしても、被検者は無駄にその場で待機することがなくなり、測定時間の短縮が期待できる。
【０１２６】
なお、制御部７０は、眼鏡またはコントタクトレンズを外す旨のアナウンスを測定前に行ってもよい。例えば、制御部７０は、「眼鏡またはコンタクトレンズを外してください」という音声を出力させてもよい。これによって、眼鏡またはコンタクトレンズを装着した状態で検査するというミスを防ぐことができる。また、制御部７０は、患者の視度が装置のフォーカス調整範囲外にある場合などは、眼鏡を装着する旨の音声アナウンスを行ってもよい。例えば、制御部７０は、「眼鏡またはコンタクトレンズを装着してください。」という音声を出力してもよい。
【０１２７】
なお、制御部７０は、顔支持部９に顔を支持するときの正しいやり方を音声アナウンスしてもよい。例えば、制御部７０は、「顎を奥につけるよういにして顎台に載せ、額を軽く接触させてください。」という音声アナウンスを行ってもよい。また、制御部７０は、「両手は、顎台の左右両脇のグリップをそれぞれ軽く握ってい下さい」という音声を出力してもよい。これによって、被検者は、正しい姿勢で測定できる。
【０１２８】
なお、制御部７０は、測定終了後、ゆっくりと顎台から頭を引くようにアナウンスしてもよい。また、制御部７０は、立ち上がる際に、顎台１１および額当て１０をつかまないようにアナウンスしてもよい。これによって、測定終了後に装置の破損または被検者の危険を防止できる。
【０１２９】
また、制御部７０は、測定終了後、患者に瞬きをして、眼を休めてしばらく待つように促す音声アナウンスを行ってもよい。
【０１３０】
＜顎載せ検知部＞
なお、顔支持部９は、顎台１１に顎が載っているか否かを検知する顎載せ検知部１０９を備えてもよい。例えば、顎載せ検知部１０９は、顎台１１が被検者の顎で下方向に押し込まれたことを検知する。図１１を用いて顎載せ検知部１１３の一例について説明する。図１１は、本実施例の顔支持部９の内部構造を示す図である。顔支持部９は、例えば、額当て１０、顎台１１、支柱１０５、軸受け１０４、顎台駆動部１２、作動ユニット１００、顎載せ検知部１０９等を備える。
【０１３１】
支柱１０５は、顎台１１に固定される。支柱１０５は、顎台駆動部１２と連結されている。支柱１０５は、顎台駆動部１２の駆動によって上下方向に移動する。支柱１０５の移動によって、顎台１１の高さが調整される。顎台１１の高さは、支柱１０５に取り付けられたエンコーダ１０８等によって検出される。軸受部１０４は、支柱１０５が上下に駆動する際のガイドとなる。軸受部１０４と支柱１０５とは摺動可能に嵌合されている。
【０１３２】
顎載せ検知部１０９は、被検者の顎によって下方向に押し込まれたときに反応するように構成される。顎載せ検知部１０９は、例えば、センサ１１３、センサ基部１０２、クランク板１１２、回転軸部１１１等を備える。センサ１１３は、フォトセンサ、磁気センサ、圧力センサ等であってもよいし、スイッチ等であってもよい。本実施例では、フォトセンサを用いる。センサ基部１０２は、顔支持部９の本体に固定される。センサ１１３は、センサ基部１０２に固定される。回転軸部１１１は、センサ基部１０２に固定される。クランク板１１２は、回転軸部１１１によって回転可能に支持される。クランク板１１２は、フォトセンサの検出光を遮光する。
【０１３３】
作動機構１００は、被検者の顎が顎台１１に載ったときに顎台１１を下方向に沈み込ませ、顎載せ検知部１０９によって検知させるための機構である。本実施例において、顎台１１は、作動部１００および顎台駆動部１２とともに、下方向に沈み込む。作動部１００は、作動基部１０１、ピン１１５、バネ１１０、上ストッパ１０６、下ストッパ１０７を備える。作動基部１０１は、顎台駆動部１２に固定される。ピン１１５は、作動基部１０１に固定される。ピン１１５は、クランク板１１２の切欠き１１４と係合している。
【０１３４】
上ストッパ１０６、下ストッパ１０７は、作動基部１０１の上下の移動範囲を制限する。例えば、作動基部１０１が押し込まれて１．５ｍｍ動くようにストッパが設けられる。上ストッパ１０６と下ストッパ１０７は、顔支持部９の本体に固定される。バネ１１０の上端はセンサ基部１０２に取り付けられ、下端は作動基部１０１に取り付けられる。バネ１１０は、復元力によって作動基部１０１を上方向に持ち上げる。
【０１３５】
上記のような顎載せ検知部１０９の動作について説明する。顎台１１に顎が載せられていない場合、顎台１１は、バネ１１０によって上方向に持ち上げられ、作動基部１０１が上ストッパ１０６に接触する位置で静止する。顎台１１に顎が載せられると、図１２に示すように、顎台１１、支柱１０５、作動基部１０１、顎台駆動部１２が一体的に下に押し込まれる。作動基部１０１が下方向に移動することによって、作動基部１０１に取り付けられたピン１１５も下方に移動する。ピン１１５が下方に移動すると、クランク板１１２は、回転軸部１１１を中心に回転し、センサ１１３の検出光を遮蔽する。センサ１１３からの検出信号がなくなると、制御部７０は、顎台１１に顎が載せられたことを検知する。
【０１３６】
仮に、顎台１１に接触センサなどを搭載した場合は、顎台１１まで接触センサのハーネスを延ばす必要がある。顎台１１は、被検眼の高さを調整するために大きく（例えば、６６ｍｍ程度）上下させる必要があるため、その上下の動きによってハーネスが断線する恐れがある。またセンサを顎台１１に搭載するためのスペースが必要となりデザイン性が損なわれる。また、顎台１１のアルコール消毒によってセンサが故障する可能性がある。
【０１３７】
したがって、本実施例のように、顎台１１ではなく、顎台駆動部１２の駆動の影響のない顎台内部の位置に顎載せ検知部１０９が固定されることによって、ハーネス断線の可能性を低減できる。本実施例の顎載せ検知部１０９は、顎台の高さに関係なく、顎台全体の動きを検知するだけでよい。
【０１３８】
顎台駆動部１２による顎台１１の上下とは別に、顎台１１の上下機構全体を上下させることによって、ハーネス断線リスクとデザイン上の問題を回避することができる。また、検出機構を顎台上下動機構内部に設けることで、装置の大型化することを防げる。
【０１３９】
なお、上記の顎載せ検知部１０９において、クランク板１１２をフォトセンサ１１３の検出用に用いたのは、顎台１１の沈み込みが１．５ｍｍと小さいため、クランク板１１２によってフォトセンサの遮蔽量を稼ぎ、より正確にフォトセンサの検出を行えるようするためである。しかしながら、クランク板１１２を用いずに、作動基部１０１に固定された遮蔽板によってフォトセンサの検出光を遮蔽してもよい。
【０１４０】
また、顎台駆動部１２によって支柱１０５が上下する場合、支柱１０５は軸受け１０４に対して摺動する。顎台１１が沈み込む場合にも、支柱１０５は、軸受け１０４を摺動する。このように、顎台１１の調整時の駆動と、顎載せ検知部１０９の検知用の駆動で同じ軸受け１０４を使うとこで、装置構成を簡略化できる。
【符号の説明】
【０１４１】
１  眼科装置
２  検眼部
４  駆動部
５  基台
６  筐体
９  顔支持部
１１  顎台
７０  制御部
７１  ＣＰＵ
７２  ＲＯＭ
７３  ＲＡＭ
９０  顔撮影部
【図１】
0006701987.tif 000013
【図２】
0006701987.tif 000014
【図３】
0006701987.tif 000015
【図４】
0006701987.tif 000016
【図５】
0006701987.tif 000017
【図６】
0006701987.tif 000018
【図７】
0006701987.tif 000019
【図８】
0006701987.tif 000020
【図９】
0006701987.tif 000021
【図１０】
0006701987.tif 000022
【図１１】
0006701987.tif 000023
【図１２】
0006701987.tif 000024